(57)【要約】【課題】簡単な構成により、電力増幅回路がシングル回路からなる真空管アンプにおける出力トランスの直流磁化を防止可能な回路構成を提案すること。【解決手段】真空管アンプ１に付設された出力トランス３の直流磁化を防止するための直流磁化防止回路は、同一容量の第１チョークトランス１７ａおよび第２チョークトランス１７ｂと、可変抵抗器１８とを備えている。可変抵抗器１８の抵抗値を調節することにより、出力トランス３の一次側コイル３ａの一端に加わる電力増幅回路９の出力側電圧（例えば２９０Ｖ）に対して、一次側コイル３ａの他端に加わる電源回路部４のＢ電源電圧（例えば３００Ｖ）を分圧させて一致させることができる。一次側コイル３ａの両端電位が等しくなり、出力用真空管８のプレート電流はチョークトランス１７ａ、１７ｂ、可変抵抗器１８を経由して流れる。出力トランス３のトランスコア３ｃの直流磁化を防止できる。【選択図】図１
2009164667.tif 000002
【特許請求の範囲】
【請求項１】
シングル回路からなる電力増幅回路を備えた真空管アンプにおいて、
出力トランスの一次側コイルの両端間に、第１チョークトランスおよび第２チョークトランス、あるいは、第１定電流回路および第２定電流回路を直列接続し、
可変抵抗を用いて、Ｂ電源電圧を分圧して出力トランスの一次側コイルの両端電位を同一となるようにし、
前記出力トランスの一次側コイルを経由して直流電流が流れないようにしたことを特徴とする真空管アンプ。
【請求項２】
シングル回路からなる電力増幅回路を備えた真空管アンプにおいて、
出力トランスの一次側コイルとＢ電源の間に、チョークトランスあるいは定電流回路と、可変抵抗とを介挿し、
可変抵抗を用いて、Ｂ電源電圧を分圧して出力トランスの一次側コイルの両端電位を同一となるようにし、
前記出力トランスの一次側コイルを経由して直流電流が流れないようにしたことを特徴とする真空管アンプ。
【発明の詳細な説明】
【技術分野】
【０００１】
本発明は、オーディオ機器に用いられる真空管アンプに関し、出力真空管を用いた電力増幅回路がシングル回路によって構成されている場合における出力トランスの直流磁化を防止するための直流磁化防止技術に関する。
【背景技術】
【０００２】
シングル回路を用いた真空管アンプは、プッシュプル回路を用いた場合に比べて回路構成が簡単になるが、シングル回路用の出力トランスは電流の流れが一方向なのでトランスコアが磁化しやすいという問題点がある。トランスコアが磁化されると、低周波数帯域の音声信号の伝達特性が劣化してしまう。シングル回路では、出力トランスの一次巻線電流に起因するトランスコアの直流磁化は不可避とも言える問題である。
【０００３】
特許文献１には、シングル増幅器において、出力トランスの直流磁化を防止するために、出力管と、ビーム管からなる定電流素子に、プッシュプル用出力トランスを組み合わせて、出力管のカソード側に定電流回路を配置し、初段側増幅回路と出力管を直接結合させた回路構成を採用することにより、プッシュプル用出力トランスの一次側に磁化を打ち消す方向に直流電流を流すようにしている。
【０００４】
図４に示す真空管アンプ１００のように、電圧増幅回路１０１と電圧増幅回路１０２の間が中間トランス１０３によって結合されているトランス結合型のものにおいて、電圧増幅用真空管１０４と中間トランス１０３の一次側コイルの間にコンデンサ１０５を介挿させ、出力トランス１０６に直流電流が流れないようにすることが考えられる。この回路構成では、アンプ特性にコンデンサ１０５の特性が直接現れてしまう。
【特許文献１】特開平０７−９４９６０号公報
【発明の開示】
【発明が解決しようとする課題】
【０００５】
本発明の課題は、簡単な構成により、電力増幅回路がシングル回路からなる真空管アンプにおける出力トランスの直流磁化を防止可能な回路構成を提案することにある。
【課題を解決するための手段】
【０００６】
上記の課題を解決するために、本発明は、シングル回路からなる電力増幅回路を備えた真空管アンプにおいて、
出力トランスの一次側コイルの両端間に、第１チョークトランスおよび第２チョークトランス、あるいは、第１定電流回路および第２定電流回路を直列接続し、可変抵抗を用いて、Ｂ電源電圧を分圧して出力トランスの一次側コイルの両端電位を同一となるようにし、前記出力トランスの一次側コイルを経由して直流電流が流れないようにしたことを特徴としている。
【０００７】
この代わりに、出力トランスの一次側コイルとＢ電源の間に、チョークトランスあるいは定電流回路と、可変抵抗とを介挿し、当該可変抵抗により、Ｂ電源電圧を分圧して出力トランスの一次側コイルの両端電位を同一となるようにして、前記出力トランスの一次側コイルを経由して直流電流が流れないようにしてもよい。
【発明の効果】
【０００８】
本発明の真空管アンプでは、出力トランスの一次側に、チョークトランスあるいは定電流回路を接続し、可変抵抗を用いてＢ電源電圧を分圧して、出力トランスの一次側コイルの両端に加わる電圧を同一となるようにして、一次側コイルを介して一方向に直流電流が流れることを防止している。これにより、直流電流によってトランスコアが磁化されて低音特性が劣化するなどの弊害を防止できる。
【発明を実施するための最良の形態】
【０００９】
以下に、図面を参照して、本発明を適用した真空管アンプの実施の形態を説明する。
【００１０】
（実施の形態１）
図１は実施の形態１に係る真空管アンプを示す回路ブロック図である。真空管アンプ１の基本構成は従来と同様であり、入力される音声信号電圧を増幅するための増幅回路部２、出力トランス３、および電源回路部４とを有しており、出力トランス３の二次側がスピーカ５に接続されている。
【００１１】
増幅回路部２は、入力される音声信号電圧を増幅するための電圧増幅用真空管６を備えた電圧増幅回路７と、出力用真空管８を備えたシングル回路構成の電力増幅回路９とを備えている。電圧増幅回路７と電力増幅回路９の間はコンデンサ１０を介して結合されている。出力トランス３の一次側コイル３ａには電力増幅回路９の出力が接続され、出力トランス３の二次側コイル３ｂにはスピーカ５が接続されている。
【００１２】
電源回路部４は、電源トランス１１、整流用真空管１２、および、平滑回路１３を備えている。電源トランス１１は、交流１００Ｖ電源から出力用真空管８のヒータ用電圧、電圧増幅用真空管６のヒータ用電圧、整流用真空管１２のヒータ用電圧、および、２５０Ｖあるいは３２０Ｖといった高電圧を発生する。電源トランス１１の二次側高電圧端子から発生した高電圧電流は整流用真空管１２によって全波整流された後に、チョークコイル１４および２個のコンデンサ１５、１６からなる平滑回路１３によって平滑化され、これによって得られた直流高電圧（Ｂ電源）が出力トランス３の一次側に供給される。
【００１３】
ここで、真空管アンプ１には、出力トランス３のトランスコア３ｃの直流磁化を防止するための回路が付設されている。直流磁化防止回路は、同一容量の第１チョークトランス１７ａおよび第２チョークトランス１７ｂと、可変抵抗器１８とを備えている。チョークトランスの代わりに、その他の構成の２つの定電流回路を配置してもよい。第１チョークトランス１７ａおよび第２チョークトランス１７ｂは、出力トランス３の一次側コイル３ａの両端間に、直列に接続されている。可変抵抗器１８は、出力トランス３の一次側コイル３ａと電源回路部４のＢ電源の間に接続されている。
【００１４】
なお、本例では、出力トランス３の一次側コイル３ａと可変抵抗器１８間の部位と接地との間にコンデンサ１９が接続されている。このコンデンサ１９の容量は、電源トランス１１の出力用真空管８のヒータ用電圧の出力側に接続されているコンデンサ１１ａの容量と同一としてある。
【００１５】
この構成の直流磁化防止回路では、可変抵抗器１８の抵抗値を調節することにより、出力トランス３の一次側コイル３ａの一端に加わる電力増幅回路９の出力側電圧（例えば２９０Ｖ）に対して、一次側コイル３ａの他端に加わる電源回路部４のＢ電源電圧（例えば３００Ｖ）を分圧させて一致させることができる。これにより、一次側コイル３ａの両端電位が等しくなり、一次側コイル３ａに直流電流が流れることを防止できる。また、出力用真空管８のプレート電流は第１および第２チョークトランス１７ａ、１７ｂおよび可変抵抗器１８を経由して流れる。この結果、出力トランス３のトランスコア３ｃの直流磁化を防止できる。
【００１６】
（実施の形態２）
図２は本発明を適用した実施の形態２に係る真空管アンプを示す回路ブロック図である。真空管アンプ２０の基本構成は実施の形態１の真空管アンプ１と同一であるので対応する部位には同一の符号を付し、それらの説明は省略する。
【００１７】
真空管アンプ２０に付設されている直流磁化防止回路は、出力トランス３の一次側コイル３ａと電源回路部４のＢ電源との間に挿入した可変抵抗器２１と、一次側コイル３ａに対して可変抵抗器２１を介して並列接続したチョークトランス２２（または定電流回路）とを備えている。
【００１８】
可変抵抗器２１を調節することにより、出力トランス３の一次側コイル３ａの一端に加わる電力増幅回路９の出力側電圧（例えば２９０Ｖ）に対して、一次側コイル３ａの他端に加わる電源回路部４のＢ電源電圧（例えば３００Ｖ）を分圧させて一致させることができる。これにより、一次側コイル３ａの両端電位が等しくなり、一次側コイル３ａに直流電流が流れることを防止できる。出力用真空管８のプレート電流はチョークトランス２２を経由して流れる。この結果、出力トランス３のトランスコア３ｃの直流磁化を防止できる。
【００１９】
（実施の形態３）
図３は本発明を適用した実施の形態３に係る真空管アンプを示す回路ブロック図である。真空管アンプ３０の基本構成は実施の形態１と同様であるが、本例では、電圧増幅回路７と電圧増幅回路９の間が中間トランス３１を介して結合された回路構成となっている。
【００２０】
この真空管アンプ３０に付設されている磁化防止回路は、出力トランス３の一次側コイル３ａと電源回路部４のＢ電源との間に挿入した可変抵抗器３２と、一次側コイル３ａに対して可変抵抗器３２を介して並列接続したチョークトランス３３（または定電流回路）とを備えている。この構成によっても出力トランス３の一次側コイル３ａに直流電流が流れることを防止でき、トランスコア３ｃの直流磁化が防止される。
【図面の簡単な説明】
【００２１】
【図１】本発明を適用した実施の形態１の真空管アンプの回路ブロック図である。
【図２】本発明を適用した実施の形態２の真空管アンプの回路ブロック図である。
【図３】本発明を適応した実施の形態３の真空管アンプの回路ブロック図である。
【図４】一般的なシングル回路構成の真空管アンプの回路ブロック図である。
【符号の説明】
【００２２】
１、２０、３０    真空管アンプ
２    増幅回路部
３    出力トランス
３ａ  一次側コイル
３ｂ  二次側コイル
３ｃ  トランスコア
４    電源回路部
５    スピーカ
６    電圧増幅用真空管
７    電圧増幅回路
８    出力用真空管
９    電力増幅回路
１０  コンデンサ
１１  電源トランス
１１ａ  コンデンサ
１２  整流用真空管
１３  平滑回路
１４  チョークコイル
１５、１６  コンデンサ
１７ａ  第１チョークトランス
１７ｂ  第２チョークトランス
１８、２１、３２  可変抵抗器
１９  コンデンサ
３１  中間トランス
【図１】
2009164667.tif 000003
【図２】
2009164667.tif 000004
【図３】
2009164667.tif 000005
【図４】
2009164667.tif 000006